(57)【要約】【課題】一体構成のリアグリップ部を備えた釣竿において、一体構成による軽量化と高感度を維持しつつグリップ力を向上させる。【解決手段】後端部側の所定長さ領域が大径化されてリアグリップ部４１が一体的に形成された中空のリアグリップ竿体２１を備えた釣竿であって、リアグリップ部４１には、前側の面部４４ａと後側の面部４４ｂとの境界部分に環状角部４４ｃが形成されており、リアグリップ部４１は、該リアグリップ部４１の前側に位置する小径部４０よりも急な勾配で後側に向けて拡径していく拡径部４４と、該拡径部４４の後端部からリアグリップ竿体２１の後端部までの領域を構成する大径部４５とを備え、拡径部４４に環状角部４４ｃが形成され、該環状角部４４ｃによって拡径部４４が前側の面部４４ａと後側の面部４４ｂに区画されている。【選択図】図１
2018007582.tif 000002
【特許請求の範囲】
【請求項１】
後端部側の所定長さ領域が大径化されてリアグリップ部が一体的に形成された中空のリアグリップ竿体を備えた釣竿であって、
リアグリップ部には、前側の面部と後側の面部との境界部分に環状角部が形成されていることを特徴とする釣竿。
【請求項２】
リアグリップ部は、該リアグリップ部の前側に位置する小径部よりも急な勾配で後側に向けて拡径していく拡径部と、該拡径部の後端部からリアグリップ竿体の後端部までの領域を構成する大径部とを備え、拡径部に環状角部が形成され、該環状角部によって拡径部が前側の面部と後側の面部に区画されている請求項１記載の釣竿。
【請求項３】
前側の面部は、外側凹の凹状湾曲面部である請求項２記載の釣竿。
【請求項４】
後側の面部は、外側凸の凸状湾曲面部である請求項３記載の釣竿。
【請求項５】
拡径部における前端部と後端部の内径差の半分以上が前側の面部により形成されている請求項２乃至４の何れかに記載の釣竿。
【発明の詳細な説明】
【技術分野】
【０００１】
本発明は、リアグリップ部が一体的に形成された中空の竿体を備えた釣竿に関する。
【背景技術】
【０００２】
竿体にリアグリップ部を備える場合、コルクや発泡樹脂から筒状のリアグリップ体を形成してそれを竿本体（ブランク）の後部外周面に装着して構成することが多い。しかしながら、リアグリップ部を竿本体とは別体構成とすると、軽量化が困難となり、また、釣竿から手に伝わる感度も低下する。
【０００３】
これに対して、本出願人は中空のリアグリップ竿体の後部を大径化してリアグリップ部を一体的に形成した構成について既に提案している（下記特許文献１参照）。この構成によって軽量化と高感度化を達成することができた。
【先行技術文献】
【特許文献】
【０００４】
【特許文献１】特許第５７２１５７４号公報
【発明の概要】
【発明が解決しようとする課題】
【０００５】
本発明は、一体構成のリアグリップ部を備えた釣竿において、一体構成による軽量化と高感度を維持しつつグリップ力を向上させることを課題とする。
【課題を解決するための手段】
【０００６】
本発明は上記課題を解決すべくなされたものであって、本発明に係る釣竿は、後端部側の所定長さ領域が大径化されてリアグリップ部が一体的に形成された中空のリアグリップ竿体を備えた釣竿であって、リアグリップ部には、前側の面部と後側の面部との境界部分に環状角部が形成されていることを特徴とする。尚、竿先側を前側とし、竿尻側を後側とする。
【０００７】
該構成の釣竿を使用して釣りを行う際、魚のアタリ等の振動は、釣り糸から竿本体（ブランク）に伝わり、竿本体の元部を構成しているリアグリップ竿体に伝わることになる。リアグリップ竿体の後部にはリアグリップ部が一体的に形成されているので、例えば、右手で釣竿を把持する場合には、右手の前腕や肘、特に前腕のうちの肘に近い比較的太い部分にリアグリップ部を当接させることができる。そのため、手の平のみならず、リアグリップ部から前腕にも振動が伝わることになる。リアグリップ部は別体構成ではなく一体構成であるため振動伝達特性に優れており、振動がリアグリップ部からダイレクトに手に伝わる。従って、前アタリのような小さなアタリであっても確実に感じ取ることができる。また、釣竿を把持する手とは反対側の手でリアグリップ部を把持することもできる。リアグリップ部は、ＥＶＡやコルクからなる別体構成のものではなく、リアグリップ竿体に一体的に形成された一体構成のものであるが、リアグリップ部に環状角部が形成されているので、リアグリップ部を把持しても滑りにくい。即ち、環状角部は断面視山型であって、その環状角部において前後隣り合う二つの面部が折れ曲がったような構成になっているので、環状角部の前側に位置する前側の面部に例えば親指と人差し指を引っ掛けるようにして把持することができる。そして、釣竿を振るような動作をした場合であっても、環状角部が形成されているので、リアグリップ部を把持する手が滑りにくく、確実にリアグリップ部を把持することができる。特に、リールシートを備えた釣竿においては、例えば釣竿を右手で把持し、左手でリアグリップ部を把持してダブルハンドキャストすることができる。その際、左側の手の親指と人差し指をリアグリップ部の前側の面部に引っ掛けるようにしてリアグリップ部を把持することができ、軽い力でリアグリップ部を把持しても左手がリアグリップ部から抜けることがなく、楽にキャスティングできる。
【０００８】
特に、リアグリップ部は、該リアグリップ部の前側に位置する小径部よりも急な勾配で後側に向けて拡径していく拡径部と、該拡径部の後端部からリアグリップ竿体の後端部までの領域を構成する大径部とを備え、拡径部に環状角部が形成され、該環状角部によって拡径部が前側の面部と後側の面部に区画されていることが好ましい。このようにリアグリップ部の拡径部に環状角部が形成されていて拡径部が前側の面部と後側の面部に区画されていると、例えば、釣竿を把持している手の前腕にリアグリップ部を当てた際に、前腕には主として拡径部の後側の面部と大径部とが当たることになる。従って、リアグリップ部に環状角部を形成していても、違和感なくリアグリップ部に前腕に当てることができる。一方、リアグリップ部を把持する際には、拡径部の前側の面部を例えば親指と人差し指で掴むことができ、その後側には環状角部が形成されているので、親指と人差し指が滑りにくく、従って、軽い力でリアグリップ部を把持しても滑りにくく確実に把持することができる。
【０００９】
また、前側の面部は、外側凹の凹状湾曲面部であることが好ましい。前側の面部が凹状湾曲面部であると、例えば前側の面部が一定の傾斜角度（勾配）で傾斜した断面視直線状の傾斜面部である場合に比して、指の引っ掛かりが良く、より一層滑りにくい。
【００１０】
また、後側の面部は、外側凸の凸状湾曲面部であることが好ましい。後側の面部が凸状湾曲面部であると、前腕にリアグリップ部を当てた際の感触に優れていて前腕にフィットしやすい。
【００１１】
また、拡径部における前端部と後端部の内径差の半分以上が前側の面部により形成されていることが好ましく、指の引っ掛かりが良く、より一層滑りにくい。
【発明の効果】
【００１２】
以上のように、リアグリップ部に環状角部が形成されたことで、一体構成による軽量化と高感度を維持しつつグリップ力を向上させることができる。
【図面の簡単な説明】
【００１３】
【図１】本発明の一実施形態における釣竿の要部を示す正面図。
【図２】同釣竿の要部の縦断面図。
【図３】同釣竿の要部の拡大縦断面図。
【図４】同釣竿の要部の拡大縦断面図。
【図５】同釣竿のリアグリップ竿体を示し、（ａ）は正面図、（ｂ）は縦断面図。
【図６】同リアグリップ竿体の後部拡大図であって、（ａ）は正面図、（ｂ）は縦断面図。
【図７】同リアグリップ竿体の横断面図であって、（ａ）は後端部の横断面図、（ｂ）は前端部の横断面図。
【図８】同リアグリップ竿体の要部縦断面図。
【図９】同リアグリップ竿体のメイン層を示す横断面図であって、（ａ）は後端部の横断面図、（ｂ）は前端部の横断面図。
【図１０】同リアグリップ竿体のメイン層の内側の一周分を示す横断面図であって、（ａ）は後端部の横断面図、（ｂ）は前端部の横断面図。
【図１１】同リアグリップ竿体の製造方法を示す正面図。
【図１２】同リアグリップ竿体の製造に用いられるプリプレグであって、（ａ）は要部拡大斜視図、（ｂ）は構成図。
【図１３】同リアグリップ竿体の製造方法を示す模式図。
【図１４】同リアグリップ竿体の製造工程を示す横断面図であって、（ａ）は横後端部の断面図、（ｂ）は前端部の横断面図。
【図１５】同リアグリップ竿体の製造工程を示す横断面図であって、（ａ）は横後端部の断面図、（ｂ）は前端部の横断面図。
【図１６】同リアグリップ竿体の製造工程を示す横断面図であって、（ａ）は横後端部の断面図、（ｂ）は前端部の横断面図。
【図１７】同リアグリップ竿体の製造工程を示す横断面図であって、（ａ）は横後端部の断面図、（ｂ）は前端部の横断面図。
【図１８】同釣竿の使用状態を示す要部正面図。
【図１９】同釣竿の使用状態を示す要部平面図。
【図２０】本発明の他の実施形態における釣竿の要部を示す正面図。
【発明を実施するための形態】
【００１４】
以下、本発明の一実施形態に係る釣竿について図１〜図１９を参酌しつつ説明する。図１〜図３に示すように、本実施形態における釣竿は、リールを取り付けるためのリールシート１を備えたものである。該リールシート１は、パイプシートとも称される筒状のものであって、釣竿の竿本体２（ブランク）に外装されて所定位置に移動不能に固定される。即ち、竿本体２がリールシート１を挿通していて、リールシート１は、竿本体２の外周面の所定位置に接着等により固定されている。
【００１５】
リールは、リールシートに取り付けるためのリール脚３を備えている。該リール脚３は、図示しないリール本体から一本脚状に延びる脚主部４と、該脚主部４の先端部である足首部４ａから前後両側に延びる取付脚部５とを備えて、全体としてＴ字状に形成されている。従って、リール脚３は、前後一対の脚先部５ａ，５ｂを有している。
【００１６】
リールシート１は、竿本体２に移動不能に外装され、リール脚３の一方の脚先部５ａを固定するための固定フード部１２が形成された筒状のリールシート本体７と、該リールシート本体７に外装され、リール脚３の他方の脚先部５ｂを固定するための筒状の可動フード８と、該可動フード８を軸線方向に移動させると共に所望の位置に固定するための固定ナット９とを備えている。
【００１７】
尚、本実施形態におけるリールシート１は、スピニングリールを固定するためのものである。通常の使用状態においてスピニングリールは下側を向く。そのため、図１等では、使用状態に即して、リール脚３の裏面を支持するためのリール脚支持面１１が下側を向くように図示している。尚、リールシート１においてスピニングリールが装着される側をリール装着側とし、リール装着側とは径方向反対側（１８０度反対側）を反リール装着側とする。また、竿先側を前側と、竿尻側を後側とし、反リール装着側から見たとき、竿本体２の軸線方向（中心軸の方向）と直交する方向を左右方向とする。
【００１８】
リールシート本体７は、一部材から構成される。リールシート本体７の材質は、合成樹脂や金属等であってよいが、特には硬質の合成樹脂から射出成形により形成された樹脂成形品であることが好ましい。その合成樹脂は種々のものであってよいが、繊維強化樹脂が好ましく、特に、長さが１ｍｍ以下の短繊維を強化繊維とした繊維強化樹脂が好ましい。また、その繊維としてはカーボン繊維が好ましい。
【００１９】
リールシート本体７には竿本体２が挿通する竿挿通孔が形成され、リール装着側にはリール脚３の裏面を支持するためのリール脚支持面１１が形成されている。リール脚３の裏面とは、リール脚３の取付脚部５の裏面である。また、リールシート本体７の軸線方向の一端部側にはリール脚３の一方の脚先部５ａを固定するための固定フード部１２が形成されている。リールシート本体７の軸線方向の他端部側の外周面には雄ネジ部１３が形成されている。固定フード部１２はリール装着側に形成されていて、軸線方向の他端部側に開口する開口部を有している。該固定フード部１２にリール脚３の一方の脚先部５ａが挿入される。リールシート本体７の雄ネジ部１３に固定ナット９が螺着され、該固定ナット９の軸線方向の一端部側に可動フード８が位置する。リールシート本体７には、雄ネジ部１３を部分的に切り欠くようにして軸線方向に直線状に延びる図示しないガイド溝が形成されており、可動フード８は、リールシート本体７のガイド溝に案内されながら軸線方向にスライド移動する。可動フード８は固定ナット９に相対回転可能に係止されているので、固定ナット９を回転させると、可動フード８は回転することなく固定ナット９と共に前後に移動する。
【００２０】
本実施形態では、リールシート本体７の固定フード部１２は後側に位置していて前側に向けて開口しており、可動フード８は前側に位置していて後側に向けて開口している。従って、固定フード部１２にはリール脚３の後側の脚先部５ａが挿入され、可動フード８にはリール脚３の前側の脚先部５ｂが挿入される。可動フード８を後側に移動させる、即ち、固定フード部１２に接近させることでリール脚３を前後に狭持しつつリールシート本体７にリールを固定することができる。また、可動フード８を前側に移動させる、即ち、固定フード部１２から離反させることでリール脚３の固定状態が解除されて、リールを釣竿から取り外すことができる。但し、図２０のように竿本体２に対するリールシート１の前後の装着の向きが逆であってもよい。
【００２１】
リールシート本体７のリール装着側には反リール装着側に向けて凹んだ凹部１５が形成されている。該凹部１５は、リール装着側に開口すると共に、左右両側面（両サイド）にも開口しており、従って、凹部１５はリール装着側、反リール装着側及び左右両側面の四方のうち三方に開口した形状となっている。このようにリールシート本体７のリール装着側に凹部１５が形成されることにより、竿挿通孔は前後に分断され、リール脚支持面１１も前後に分断されている。
【００２２】
可動フード８は筒状であって、固定ナット９とは反対側の端部には、リール脚３の他方の脚先部５ｂが挿入されるフード部８ａが形成されている。該フード部８ａは、可動フード８の端部における全周のうちの一部が径方向外側に局部的に膨出したものであって、フード部８ａとリールシート本体７との間にリール脚３の他方の脚先部５ｂが挿入される。可動フード８のフード部８ａは、リールシート本体７の固定フード部１２と前後に対向しており、固定フード部１２と共にリール脚３の取付脚部５を前後に狭持してリール脚３を固定する。
【００２３】
竿本体２は、メイン竿体２０と、該メイン竿体２０の後側に所定長さの重ね合わせ部を形成するようにして接合一体化されたリアグリップ竿体２１とを備えている。即ち、リアグリップ竿体２１の前部とメイン竿体２０の後部とが接合一体化されて構成されている。リアグリップ竿体２１は、後端部側の所定長さ領域が局所的に拡径されてリアグリップ部４１が一体的に形成されたものである。リアグリップ部４１はリールシート１から所定距離後側に離れて位置している。リアグリップ部４１は、釣竿を持っている手の肘や前腕を当てたり、両手でキャストする場合にはリールシート１を持つ手とは反対側の手で把持したりして使用される。
【００２４】
釣竿の種類は任意であって、並継ぎ竿や振出竿等であってよい。例えば、ワンピースロッドの場合にはメイン竿体２０は穂先まで連続した一本構造である。ツーピースロッドの場合には、釣竿は穂先側の一番竿と元側の二番竿とから構成され、元側の二番竿にリールシート１を備えることになる。ツーピースロッドの場合、メイン竿体２０は穂先側の竿体と元側の竿体の二本構造となり、穂先側の竿体と元側の竿体は着脱自在に構成される。そして、穂先側の竿体が一番竿となり、元側の竿体の後部がリアグリップ竿体２１の前部に接合一体化されて互いに不離一体の構成とされて二番竿を構成する。即ち、二番竿は、元側の竿体とリアグリップ竿体２１からなる。
【００２５】
このように竿本体２はメイン竿体２０とリアグリップ竿体２１とを備えていて、リアグリップ竿体２１の前部がメイン竿体２０の後部と不離一体に接合一体化されて構成されている。そして、リアグリップ竿体２１にリールシート１が装着されており、より具体的には、リアグリップ竿体２１の前部にリールシート１が装着されている。また、本実施形態では、リアグリップ竿体２１の前部の内側に筒状のスペーサ２２を介在させ、そのスペーサ２２の内側にメイン竿体２０の後部を挿入している。即ち、リアグリップ竿体２１とメイン竿体２０との間にはスペーサ２２が介装されていて、スペーサ２２を介してリアグリップ竿体２１の前部の内側にメイン竿体２０の後部が挿入されて接着固定されている。但し、スペーサ２２を介さずに直接リアグリップ竿体２１とメイン竿体２０とが接合一体化されていてもよい。
【００２６】
リールシート本体７はリアグリップ竿体２１に直接接着されてもよいが、本実施形態では筒状のスペーサ２３を介して接着固定されている。即ち、竿本体２の外周面にスペーサ２３が接着固定され、該スペーサ２３の外周面にリールシート本体７が接着固定されている。このようにスペーサ２３を介してリールシート本体７を竿本体２に接着固定する構成とすることにより、肉厚の異なるスペーサ２３を種々準備しておけば、リールシート本体７を共用化でき、種々の直径のリアグリップ竿体２１に同一のリールシート本体７を装着できる。スペーサ２３の材質は任意であるが、本実施形態のように外部に露出しない構成の場合には合成樹脂が好ましく、軽量化できると共に製造も容易で低コストで済む。尚、リールシート本体７はリアグリップ竿体２１の前端面から所定距離後方に位置ずれしており、従って、リアグリップ竿体２１の前端部はリールシート本体７から前側に所定長さ突出している。
【００２７】
また、竿挿通孔の凹部１５側の開口部にはフランジ付きの口筒体２４がリアグリップ竿体２１との間に装着されている。口筒体２４は金属製とすることが好ましく、内部のスペーサ２３の端面の露出を防止できて意匠性を向上させることができる。
【００２８】
一方、リールシート本体７の後端部の開口部にはスペーサ２３よりも厚肉とされた口筒体２５がリアグリップ竿体２１との間に装着されている。口筒体２５も金属製とされることが好ましく、意匠性に優れる。口筒体２５を設けることで、内部のスペーサ２３の後端面の露出を防止できる。口筒体２５はその前部がリールシート本体７の内側に位置し、その後部はリールシート本体７から露出している。そして、口筒体２５よりも後側にはＥＶＡやコルク等からなる別途のグリップ体は設けられておらず、口筒体２５よりも後側の領域はリアグリップ竿体２１が露出している。即ち、リールシート本体７の後側には口筒体２５がその後部を露出する態様で設けられ、更に口筒体２５の後側にはリアグリップ竿体２１が露出する構成とされている。リールシート本体７の後部外周面から口筒体２５の外周面、リアグリップ竿体２１の外周面へと、段階的且つスムーズに縮径していく構成となっているので、リールシート本体７の後側に別途のグリップ体を設けなくても違和感なく把持することができてグリップ性に優れている。
【００２９】
リールシート本体７の前側にも口筒体２６が装着されている。該口筒体２６は、リールシート本体７の前端面とスペーサ２３の前端面の露出を防止すべくそれらを前側から覆い隠しており、メイン竿体２０の外周面に接着固定される。この前側の口筒体２６も金属製とされることが好ましく、意匠性に優れる。
【００３０】
図４のように、竿本体２の竿尻部、即ち、リアグリップ竿体２１の竿尻部には尻栓２７が装着されている。尻栓２７の構成も種々であってよいが、本実施形態では、支持部材２８と緩衝部材２９とを備えている。支持部材２８は硬質の合成樹脂製や金属製であって、特には金属製が好ましい。緩衝部材２９はゴム製が好ましい。支持部材２８は、リアグリップ竿体２１の後端部の内側に挿入される挿入筒部２８ａを備えている。挿入筒部２８ａは、リアグリップ竿体２１の後端部を内側から支持してリアグリップ竿体２１の後端部の潰れ破損を防止する。該挿入筒部２８ａは、具体的には、後述するリアグリップ竿体２１のリアグリップ部４１における大径部４５の内側に挿入され、大径部４５の内周面の後側半分以上の長さ、特には大部分の長さ領域に当接して大径部４５を内側から支持する。尚、挿入筒部２８ａはリアグリップ竿体２１に接着により固定される。また、支持部材２８の後端部側はリアグリップ竿体２１の後端部から後方に突出している。この支持部材２８の後方突出部の外周面には環状突条２８ｂが形成されており、該環状突条２８ｂの前側の側面がリアグリップ竿体２１の後端面に当接する。支持部材２８の後方突出部における環状突条２８ｂよりも後側の部分に緩衝部材２９が外側から装着される。支持部材２８の後方突出部は全体として筒状であって緩衝部材２９も筒状とされており、緩衝部材２９は、環状突条２８ｂを除く支持部材２８の後方突出部の外周面の全体を外側から覆う。尚、支持部材２８の内側には円形のプレート支持面２８ｃが設けられており、該プレート支持面２８ｃの後面に意匠プレート３０が装着されている。尚、プレート支持面２８ｃの中央部には小径の貫通孔２８ｄが形成されており、意匠プレート３０が貫通孔２８ｄを後側から覆い隠している。
【００３１】
メイン竿体２０は、プリプレグをマンドレル７０に巻回して加熱焼成することで中空状に形成されたものであって、プリプレグの強化繊維としてはカーボン繊維やガラス繊維等が使用できる。但し、メイン竿体２０は中実状であってもよい。リアグリップ竿体２１は、メインプリプレグ６０をマンドレル７０に巻回して加熱焼成することにより中空状に形成されたものである。この点については後述する。
【００３２】
リアグリップ竿体２１の単体を図５及び図６に示している。リアグリップ竿体２１は、前後二つの領域からなり、リアグリップ竿体２１の前部を構成する小径部４０と、リアグリップ竿体２１の後部を構成するリアグリップ部４１とを備えている。小径部４０は、リアグリップ竿体２１の前端部から所定長さ領域を構成しており、その長さはリアグリップ竿体２１の全長のうち半分以上の長さを占めている。従って、小径部４０はリアグリップ竿体２１の主要部分をなす。また、小径部４０はリアグリップ部４１よりも長い。小径部４０は、内径一定のストレート部となっているが、勾配があってもよい。
【００３３】
また、小径部４０の外径も略一定であるが若干異なる部分があって、従って、小径部４０は外径の違いによって前後二つの領域に区分けできる。即ち、小径部４０は、前側に位置する補強部４２と、後側に位置する非補強部４３とに区分けできる。補強部４２は、後述するように口巻き補強プリプレグ６４が巻回された領域であって、口巻き補強プリプレグ６４による口巻き補強層５２を備えた領域である。非補強部４３はこのような口巻き補強プリプレグ６４が巻回されていない領域であって、口巻き補強層５２を備えていない領域である。従って、補強部４２の肉厚は、非補強部４３の肉厚に比して厚い。但し、補強部４２の肉厚と非補強部４３の肉厚の差は僅かであって、片側肉厚で０．３ｍｍ以下であり、補強部４２の外径と非補強部４３の外径の差では、０．６ｍｍ以下である。尚、補強部４２の後端部には、徐々に外径が小さくなって、従って、厚さが薄くなっていて、非補強部４３の外周面へとつながる逆テーパ面部４２ａが形成されている。
【００３４】
小径部４０の補強部４２にリールシート１が装着される。リールシート１は補強部４２の全長のうち前側の大部分の領域に装着されることになる。リールシート１が装着される部分をシート被装着部４２ｂと称することにする。このシート被装着部４２ｂは、補強部４２の前端部から後側に向けて形成されていて、補強部４２の大部分を占めている。シート被装着部４２ｂの外周面は径一定であって、補強部４２の他の部分に比して一段小径とされている。従って、シート被装着部４２ｂの後端部には段差部４２ｃが形成されており、該段差部４２ｃに後側の口筒体２５の後端面が当接する。段差部４２ｃによってリールシート１の前後方向の装着位置が位置決めされる。シート被装着部４２ｂは、口巻き補強層５２の外周部分を切削除去して形成されているが、口巻き補強層５２の厚さの全体は除去されずにその内周部分が残るようにして切削されている。従って、シート被装着部４２ｂにおける肉厚は、補強部４２の他の部分の肉厚に比して一段薄い。但し、その差は僅かであって、片側肉厚で０．１ｍｍ〜０．２ｍｍである。
【００３５】
＜リアグリップ部４１＞
リアグリップ部４１は、別体構成ではなくリアグリップ竿体２１に一体的に形成された一体構成のものである。リアグリップ部４１は小径部４０よりも大径である。リアグリップ部４１は、小径部４０よりも急な勾配で後側に向けて内径が拡径していく拡径部４４と、該拡径部４４の後端部からリアグリップ竿体２１の後端部までの領域を構成する大径部４５とから構成されている。拡径部４４は、外径も内径と共に後側に向けて拡径していく。尚、本実施形態において小径部４０は内径一定のストレート部であり、小径部４０の勾配は０である。
【００３６】
拡径部４４は、前後二つの領域に区画される。即ち、拡径部４４は、前側の面部４４ａと後側の面部４４ｂとに区画される。前側の面部４４ａは後側の面部４４ｂに比して勾配が急である。具体的には、前側の面部４４ａは、外側凹の凹状湾曲面部であって、その勾配（拡径率）は、一定ではなく、後側ほど大きく急なものとなっている。尚、前側の面部４４ａの長さは、拡径部４４の全長のうち半分以上である。また、拡径部４４における前端部と後端部の内径差の半分以上が前側の面部４４ａにより形成されている。後側の面部４４ｂは、前側の面部４４ａとは逆に、外側凸の凸状湾曲面部であって、その勾配は、一定ではなく、後側ほど小さく緩くなっている。但し、後側の面部４４ｂの湾曲の程度は小さい。
【００３７】
そして、前側の面部４４ａと後側の面部４４ｂとの境界部分には、環状角部４４ｃが形成されている。該環状角部４４ｃは、全周に亘って形成されており、その断面形状は山型となっている。即ち、前側の面部４４ａと後側の面部４４ｂの境界部分に環状角部４４ｃが形成されることにより、前側の面部４４ａと後側の面部４４ｂは環状角部４４ｃにおいて前後に折れ曲がった状態となっている。このように拡径部４４の中途部に環状角部４４ｃが形成されることにより、拡径部４４は前側の面部４４ａと後側の面部４４ｂに区画される。尚、拡径部４４における肉厚は、後側ほど徐々に薄くなっていく。
【００３８】
大径部４５は、小径部４０と同様に、内径一定のストレート部であり、外径も一定である。小径部４０は前側のストレート部であって大径部４５は後側のストレート部である。大径部４５の内径は、小径部４０の内径の１．２倍以上、好ましくは、１．５倍以上３倍以下である。大径部４５の長さは、拡径部４４の長さよりも短く、また、拡径部４４の後側の面部４４ｂよりも短い。大径部４５の肉厚は薄くて、大径部４５はリアグリップ竿体２１において最も薄い部分となっている。具体的には、大径部４５の肉厚は、小径部４０の肉厚よりも薄く、特には小径部４０の後端部の肉厚よりも薄く、また、拡径部４４の肉厚よりも薄いが拡径部４４の後端部の肉厚と同じである。上述のように、小径部４０においては非補強部４３の方が補強部４２よりも肉厚が薄くなっているが、その非補強部４３の肉厚よりも大径部４５の肉厚は薄い。また、大径部４５の肉厚は、シート被装着部４２ｂの肉厚よりも薄い。好ましくは、大径部４５の肉厚は、小径部４０の非補強部４３の肉厚の４０％〜６０％である。
【００３９】
次に、リアグリップ竿体２１の層構造について説明する。図７（ａ）にリアグリップ竿体２１の後端部における横断面図を示しており、図７（ｂ）にリアグリップ竿体２１の前端部における横断面図を示している。リアグリップ竿体２１は、内側から順に、メイン層５０と、サブ層５１と、口巻き補強層５２とを備えている。
【００４０】
メイン層５０は、リアグリップ竿体２１の全長に亘って連続的に形成された層である。即ち、メイン層５０は、リアグリップ竿体２１の周方向に所定間隔毎に（所定角度毎に）不連続部を有しているが、リアグリップ竿体２１の軸線方向には不連続部が存在せずに連続している層である。不連続部は後述する重ね合わせ部５４である。より詳細には、メイン層５０は、強化繊維を有する繊維強化樹脂層であって、メインプリプレグ６０から形成されたものであるが、少なくとも、リアグリップ竿体２１の全長に亘って連続的に延びる強化繊維を備えている。即ち、メイン層５０は、リアグリップ竿体２１の全長に亘る長さを有して軸線方向に沿った補強繊維を少なくとも有している層である。
【００４１】
メイン層５０は、リアグリップ竿体２１の肉厚全体の大部分（半分以上）を占める主となる層であって、本実施形態においてはリアグリップ竿体２１の最内層を構成している。メイン層５０の肉厚は、リアグリップ竿体２１の前端部よりもリアグリップ竿体２１の後端部の方が薄くなっている。尚、メイン層５０の肉厚は、全周の平均値としてよい。リアグリップ竿体２１の前端部におけるメイン層５０の肉厚とリアグリップ竿体２１の後端部におけるメイン層５０の肉厚の比は２：１であり、リアグリップ竿体２１の前端部におけるメイン層５０の肉厚は、リアグリップ竿体２１の後端部におけるメイン層５０の肉厚の二倍となっている。また、メイン層５０の肉厚は、小径部４０よりも大径部４５の方が薄くなっている。メイン層５０の肉厚は、小径部４０においては一定であり、拡径部４４においては後側に向けて徐々に薄肉となり、大径部４５において最も薄く且つ一定となっている。そして、小径部４０におけるメイン層５０の肉厚は、大径部４５におけるメイン層５０の肉厚の二倍となっている。
【００４２】
図９、図１０のように、メイン層５０は、リアグリップ竿体２１の全長に亘って延びている複数の分割帯状片５３から構成されている。尚、図９には、メイン層５０の全体を示しており、図１０には、メイン層５０のうち内側の一周分のみを示している。分割帯状片５３は、リアグリップ竿体２１の後端部における全周のうち所定角度領域のみを構成する。即ち、分割帯状片５３は、細幅の帯状であって、リアグリップ竿体２１の全長に対応した軸線方向の長さを有し、リアグリップ竿体２１の後端部における全周を複数に分割した角度領域に相当する周方向の長さ（幅）を有している。複数の分割帯状片５３は全て同一形状とされることが好ましい。尚、後述するように分割帯状片５３は、軸線方向に長い帯状のメインプリプレグ６０から形成される。従って、分割帯状片５３は強化繊維を備えた繊維強化樹脂製であって、強化繊維としてはカーボン繊維やガラス繊維等であり、特にはカーボン繊維が好ましい。また、個々の分割帯状片５３は、図示省略するが、外層と内層からなる二層構造であって、外層における強化繊維は分割帯状片５３の長手方向に沿っており、内層における強化繊維は短手方向に沿っていることが好ましい。外層は相対的に厚く、内層は相対的に薄くしてよい。外層の強化繊維はカーボン繊維が好ましく、内層の強化繊維もカーボン繊維が好ましいがガラス繊維としてもよい。外層の強化繊維と内層の強化繊維を何れもカーボン繊維とする場合、外層の強化繊維よりも内層の強化繊維の方が弾性率の大きいものとすることが好ましく、例えば外層には低弾性のものを使用し、内層には中弾性のものを使用する。
【００４３】
本実施形態では、メイン層５０は、一定幅で軸線方向に長い長方形状の分割帯状片５３から構成されている。メイン層５０は、四つの分割帯状片５３を一組、ワンセットとし、それをツーセット、即ち、二組備えて構成されており、合計で八つの分割帯状片５３ａ，５３ｂ，５３ｃ，５３ｄ，５３ｅ，５３ｆ，５３ｇ，５３ｈによりメイン層５０が構成されている。尚、四つの分割帯状片５３ａ，５３ｂ，５３ｃ，５３ｄがワンセット目、四つの分割帯状片５３ｅ，５３ｆ，５３ｇ，５３ｈがツーセット目である。尚、符号については特に区別を要しない場合には最後の小文字を付すことなく総称して分割帯状片５３とする。他の符号についても同様である。
【００４４】
周方向に隣り合う分割帯状片５３同士は、互いの側縁部同士が内外重なり合わせられていて、図９（ａ）、図１０（ａ）のように、リアグリップ竿体２１の後端部において、四つの分割帯状片５３がメイン層５０の一周分を構成している。従って、一つの分割帯状片５３の周方向の長さは、リアグリップ竿体２１の後端部における９０度分の角度領域（中心角）に重ね合わせ代を足したものとなっている。具体的には、リアグリップ竿体２１の後端部において、一つの分割帯状片５３による中心角は９０度を越えるものであって、例えば１１０度である。このようにリアグリップ竿体２１の後端部においては四つの分割帯状片５３によってメイン層５０の一周分が構成されており、合計八つの分割帯状片５３によってメイン層５０の二周分が構成されている。即ち、リアグリップ竿体２１の後端部においては、二周構造（二層構造）のメイン層５０が形成されている。
【００４５】
また、ワンセット分の四つの分割帯状片５３は、互いに１８０度対向して配置されている第一の一対の分割帯状片５３と、該第一の一対の分割帯状片５３に対して直交する方向に対向した第二の一対の分割帯状片５３とからなる。例えば、ワンセット目の四つの分割帯状片５３ａ，５３ｂ，５３ｃ，５３ｄは、第一の一対の分割帯状片５３ａ，５３ｂと、第二の一対の分割帯状片５３ｃ，５３ｄとからなる。第二の一対の分割帯状片５３は第一の一対の分割帯状片５３とは周方向に９０度位置ずれしていてその外側に設けられており、従って、第二の一対の分割帯状片５３の両側縁部は第一の一対の分割帯状片５３の両側縁部の外側にそれぞれ重ね合わせられている。
【００４６】
一方、図９（ｂ）、図１０（ｂ）のように、リアグリップ竿体２１の前端部においては四つの分割帯状片５３によってメイン層５０の二周分が構成されており、合計八つの分割帯状片５３ａ，５３ｂ，５３ｃ，５３ｄ，５３ｅ，５３ｆ，５３ｇ，５３ｈによってメイン層５０の四周分が構成されている。リアグリップ竿体２１の前端部においては、第一の一対の分割帯状片５３ａ，５３ｂによってメイン層５０の内側の一周分（一周目）が構成され、第二の一対の分割帯状片５３ｃ，５３ｄによってメイン層５０の外側の一周分（二周目）が構成されている。ツーセット目である三周目と四周目についても同様であって、第一の一対の分割帯状片５３ｅ，５３ｆによってメイン層５０の三周目である内側の一周分が構成され、第二の一対の分割帯状片５３ｇ，５３ｈによってメイン層５０の四周目である外側の一周分が構成されている。
【００４７】
ワンセット目とツーセット目は同様であるので、ワンセット目を代表的に説明する、リアグリップ竿体２１の前端部において、図１０（ｂ）のように第一の一対の分割帯状片５３ａ，５３ｂの両側縁部（周方向両端部）同士が内外重ね合わせられている。第一の一対の分割帯状片５３のうちの一方の両側縁部はそれぞれ他方の両側縁部の外側に重ね合わせられている。そして、第一の一対の分割帯状片５３ａ，５３ｂの外側に第二の一対の分割帯状片５３ｃ，５３ｄが９０度位置ずれするようにして配置されており、第一の一対の分割帯状片５３ａ，５３ｂと同様に、第二の一対の分割帯状片５３ｃ，５３ｄの両側縁部同士も内外重ね合わせられている。ツーセット目も同様である。このようにリアグリップ竿体２１の前端部においては対向する二つの分割帯状片５３によってメイン層５０の一周分が構成されており、合計八つの分割帯状片５３によってメイン層５０の四周分が構成されて、四周構造（四層構造）のメイン層５０が形成されている。
【００４８】
周方向に隣り合う分割帯状片５３の側縁部同士が内外重なり合うことで重ね合わせ部５４が形成される。該重ね合わせ部５４は、一周につき分割数に対応した数だけ存在していて、リアグリップ竿体２１の後端部においては一周につき四箇所形成され、リアグリップ竿体２１の前端部においては一周につき二箇所形成されている。また、重ね合わせ部５４は周方向に間隔をおいて形成されており、９０度毎に形成されている。但し、リアグリップ竿体２１の後端部においては一周につき９０度毎に合計四箇所ずつ形成されており、リアグリップ竿体２１の前端部においては一周につき１８０度毎に二箇所ずつ形成されている。また、ワンセット目における重ね合わせ部５４とツーセット目における重ね合わせ部５４は互いに同じ箇所に形成されているが、異なっていてもよい。また、リアグリップ竿体２１の前端部における重ね合わせ部５４とリアグリップ竿体２１の前端部における重ね合わせ部５４は、互いに４５度ずれている。更に、重ね合わせ部５４は、小径部４０と大径部４５においては、軸線方向に沿って直線状に延びており、拡径部４４においては、徐々にその位置を周方向にずらしながら軸線方向に対して斜め方向に延びている。
【００４９】
このようなメイン層５０の外側にサブ層５１が形成されている。サブ層５１は、リアグリップ竿体２１の全長に亘って形成されていて、その肉厚は一定である。サブ層５１は、図８のように、螺旋状に巻回された長尺帯状片５５により構成された螺旋状の層である。該サブ層５１は、後述するように所定幅のテープ状のプリプレグ（図示省略）を一定のピッチで螺旋状に巻回することによって形成されたものである。このピッチはテープ状のプリプレグの幅の半分とされており、従って、テープ状のプリプレグの幅の半分が隣のテープ状のプリプレグの外側に重なり合うようにしながら螺旋状に巻回される。従って、サブ層５１を構成する長尺帯状片５５は、その幅の半分が隣に巻回された長尺帯状片５４の外側に重なり合いながら螺旋状に巻回されている。また、テープ状のプリプレグはその長手方向に沿ってカーボン繊維等の強化繊維が途切れることなく連続したものであり、従って、サブ層５１は、周方向に沿った強化繊維を備えている。
【００５０】
サブ層５１の外側に口巻き補強層５２が設けられている。口巻き補強層５２は、リアグリップ竿体２１の前部のみに設けられており、後部には設けられていない。従って、小径部４０の後部やリアグリップ部４１には口巻き補強層５２が存在せず、口巻き補強層５２が形成されている部分が小径部４０の補強部４２であり、小径部４０のうち口巻き補強層５２が形成されていない部分が非補強部４３である。口巻き補強層５２は、後述するように口巻き補強プリプレグ６４を巻回することにより形成されている。口巻き補強層５２は、周方向に沿った強化繊維を有していることが好ましく、強化繊維としてはガラス繊維が好ましい。
【００５１】
次に、リアグリップ竿体２１の製造方法について説明する。リアグリップ竿体２１は、メインプリプレグ６０をマンドレル７０に巻回して加熱焼成することにより形成される。詳細には、図１１のように、マンドレル７０は、リアグリップ竿体２１の形状に合わせた形状とされる。そのため、マンドレル７０は、前側から順に、小径部４０を形成するための第一の領域７１と、拡径部４４を形成するための第二の領域７２と、大径部４５を形成するための第三の領域７３とを有する形状となっている。また、拡径部４４を形成するための第二の領域７２には、環状角部４４ｃを形成するための角部形成部７４が形成されている。
【００５２】
メイン層５０を形成するためのメインプリプレグ６０は、一定幅で軸線方向に長い長方形状のものであって、四枚ワンセットで構成され、それがツーセットで合計八枚のメインプリプレグ６０ａ，６０ｂ，６０ｃ，６０ｄ，６０ｅ，６０ｆ，６０ｇ，６０ｈからメイン層５０を形成する。尚、図１１及び図１３ではワンセット目の四枚のメインプリプレグ６０ａ，６０ｂ，６０ｃ，６０ｄのみを図示している。また、メインプリプレグ６０は、加熱焼成後に端部をカットして所定長さのリアグリップ竿体２１を形成することができるように、リアグリップ竿体２１の全長に対して所定の余裕分を有した長さとなっている。メインプリプレグ６０の幅は、マンドレル７０の第三の領域７３の周長の略１／４に相当する幅である。但し、マンドレル７０に巻回する際にメインプリプレグ６０の幅方向の端部同士（側縁部同士）を内外重ね合わせるようにするため、周長の１／４に相当する幅に対して重ね合わせ部５４の幅に相当する分を足した幅寸法となっている。
【００５３】
メイン層５０を形成するための八枚のメインプリプレグ６０は全て同じ構成であって、具体的には、図１２（ａ）に示すように、二枚のプリプレグが積層された二層構造のものである。図１２（ｂ）のように、メインプリプレグ６０は、長手方向（リアグリップ竿体２１の軸線方向）に沿って強化繊維が引き揃えられたプリプレグである縦シート６１と、短手方向に沿って強化繊維が引き揃えられたプリプレグである横シート６２とを貼り合わせて一体化した積層シートからなる。その積層シートからなるメインプリプレグ６０を縦シート６１が外側となり横シート６２が内側となるようにしてマンドレル７０に巻回する。尚、縦シート６１と横シート６２は、それぞれ所定形状にカットしたものを貼り合わせてもよいが、先に大きい面積の縦シート６１と横シート６２を積層しておき、それを所定形状にカットしたものを使用することが好ましい。縦シート６１の強化繊維はカーボン繊維が好ましく、横シート６２の強化繊維もカーボン繊維が好ましい。横シート６２の強化繊維は、縦シート６１の強化繊維よりも弾性率の大きいものとすることが好ましく、例えば縦シート６１には低弾性のものを使用し、横シート６２には中弾性のものを使用する。縦シート６１は相対的に厚く、横シート６２は相対的に薄くしてよい。
【００５４】
図１３に模式図を示しているようにメインプリプレグ６０ａ，６０ｂ，６０ｃ，６０ｄは四枚をワンセットとしてマンドレル７０に貼り付けていく。順に説明すると、四枚ワンセットのメインプリプレグ６０ａ，６０ｂ，６０ｃ，６０ｄをマンドレル７０に一枚ずつ貼り付けていく。まず、図１４のようにマンドレル７０の中心に一枚目のメインプリプレグ６０ａの幅方向の中心を合わせるようにして、例えば、マンドレル７０の上側からメインプリプレグ６０ａを載置するようにして貼り付ける。一枚目のメインプリプレグ６０ａをマンドレル７０に巻き付けると、マンドレル７０の第三の領域７３においては、図１４（ａ）のようにマンドレル７０の全周のうちの略１／４に一枚目のメインプリプレグ６０ａが巻回され、その中心角θ１は例えば９０度に重ね合わせ部５４に相当する長さ分を足した角度の１１０度とされる。尚、図１４ではマンドレル７０の断面形状を示すハッチングについてはそれを省略しており、図１５等についても同様である。マンドレル７０の第一の領域７１においては、図１４（ｂ）のようにマンドレル７０の全周のうちの略１／２に一枚目のメインプリプレグ６０ａが巻回され、その中心角θ２は例えば１８０度に重ね合わせ部５４に相当する長さ分を足した角度の２２０度とされる。
【００５５】
続いて二枚目のメインプリプレグ６０ｂをマンドレル７０に貼り付けるが、その際には、一枚目のメインプリプレグ６０ａに対して１８０度対向する反対側の位置に貼り付ける。従って、一枚目のメインプリプレグ６０ａを巻き付けた状態のマンドレル７０を１８０度回転させて、一枚目のメインプリプレグ６０ａが下側に位置するようにして二枚目のメインプリプレグ６０ｂを上側からマンドレル７０に載置するように貼り付ける。二枚目のメインプリプレグ６０ｂをマンドレル７０に巻き付けると、マンドレル７０の第三の領域７３においては、図１５（ａ）のように一枚目のメインプリプレグ６０ａに対して１８０度対向した位置に二枚目のメインプリプレグ６０ｂが位置し、一枚目のメインプリプレグ６０ａの両側縁部と二枚目のメインプリプレグ６０ｂの両側縁部は互いに離間していて重ね合わせられていない。一方、マンドレル７０の第一の領域７１においては、図１５（ｂ）のように一枚目のメインプリプレグ６０ａの両側縁部と二枚目のメインプリプレグ６０ｂの両側縁部がそれぞれ重ね合わせられた状態となり、左右に対向して一対の重ね合わせ部５４が形成される。二枚目のメインプリプレグ６０ｂの両側縁部はそれぞれ一枚目のメインプリプレグ６０ａの両側縁部の外側に位置する。このように二枚目のメインプリプレグ６０ｂが巻回されることで、マンドレル７０の第一の領域７１においては、二枚のメインプリプレグ６０ａ，６０ｂによってマンドレル７０の全周が覆われて一周分の巻回状態となる。尚、マンドレル７０の第二の領域７２においては二枚のメインプリプレグ６０ａ，６０ｂの離間距離が徐々に小さくなっていって途中から重なり合うようになる。
【００５６】
続いて、マンドレル７０を９０度回転させて三枚目のメインプリプレグ６０ｃを貼り付け、更に、マンドレル７０を１８０度回転させて四枚目のメインプリプレグ６０ｄを三枚目のメインプリプレグ６０ｃと対向するように貼り付ける。マンドレル７０の第三の領域７３においては、図１６（ａ）のように三枚目のメインプリプレグ６０ｃの両側縁部はそれぞれ一枚目のメインプリプレグ６０ａの一方の側縁部と二枚目のメインプリプレグ６０ｂの一方の側縁部の外側に重ね合わせられ、四枚目のメインプリプレグ６０ｄの両側縁部はそれぞれ一枚目のメインプリプレグ６０ａの他方の側縁部と二枚目のメインプリプレグ６０ｂの他方の側縁部の外側に重ね合わせられる。マンドレル７０の第三の領域７３においては、周方向に９０度間隔をあけて合計四箇所の重ね合わせ部５４が形成され、四枚のメインプリプレグ６０ａ，６０ｂ，６０ｃ，６０ｄによってマンドレル７０の全周が覆われて一周分の巻回状態となる。一方、マンドレル７０の第一の領域７１においては、三枚目のメインプリプレグ６０ｃと四枚目のメインプリプレグ６０ｄによって更に一周分の巻回状態となり、先に巻回されている一枚目と二枚目のメインプリプレグ６０ａ，６０ｂによる一周分と合わせると、合計二周分の巻回状態となる。また、重ね合わせ部５４は一周分につき１８０度対向して二箇所形成され、二周分の合計では９０度間隔毎に四箇所形成されることになる。
【００５７】
このように四枚ワンセットのメインプリプレグ６０ａ，６０ｂ，６０ｃ，６０ｄをマンドレル７０に巻回することで、マンドレル７０の第三の領域７３では一周分の巻回状態となり、マンドレル７０の第一の領域７１では二周分の巻回状態となる。これを更にワンセット分繰り返す。ツーセット目の四枚のメインプリプレグ６０ｅ，６０ｆ，６０ｇ，６０ｈを更に巻回させると、図１７（ａ）のようにマンドレル７０の第三の領域７３では二周分の巻回状態となり、図１７（ｂ）のようにマンドレル７０の第一の領域７１では四周分の巻回状態となる。
【００５８】
このようなメイン層５０の形成工程に続いてサブ層５１の形成工程を行う。サブ層５１は、テープ状のプリプレグを螺旋状に巻回することにより形成する。サブ層５１は、メイン層５０の全長に亘って形成する。例えば、穂先側から竿尻側へとテープ状のプリプレグを螺旋状に巻回していくが、その向きは逆でもよい。テープ状のプリプレグは長尺状であってカーボン繊維やガラス繊維等の強化繊維もその長手方向に沿って連続したものである。テープ状のプリプレグの幅とピッチは種々であってよいが、好ましくは、ピッチは幅の１／２とされる。従って、隣り合うテープ状のプリプレグの側部同士がテープ幅の半分ずつ内外重なり合うことになる。このようにテープ状のプリプレグを全長に亘って巻回することでメイン層５０の外側に、一定肉厚のサブ層５１が形成される。
【００５９】
その後、図１１に示すようにサブ層５１の外側であって前部のみに台形状の口巻き補強プリプレグ６４を巻回して口巻き補強層５２を形成する。口巻き補強プリプレグ６４は、強化繊維としてガラス繊維を使用すると共に周方向に引き揃えられているものが好ましい。しかる後、図示しない成形テープを巻回して加熱焼成した後、成形テープを除去し、マンドレル７０を脱芯し、端部を必要に応じてカット除去してリアグリップ竿体２１を形成する。尚、口巻き補強層５２の前側領域を例えばセンタレス研磨して一段薄くしてシート被装着部４２ｂを形成する。また、表面には所望の模様やコーティングが施される。以上のようにしてリアグリップ竿体２１が形成され、メイン竿体２０と接合一体化されて竿本体２が形成されると共にリールシート１が装着されて釣竿が完成する。
【００６０】
かかる釣竿を使用する際には、リールシート１にリールを装着して釣りを行うことになる。魚のアタリ等の振動は、釣り糸からリールに伝わり、リールから釣竿を把持している手へと伝わる。また、魚のアタリ等の振動は、釣り糸から竿本体２（ブランク）にも伝わり、リアグリップ竿体２１へと伝わることになり、釣竿を把持している手へと伝わる。図１８に使用状態の一例を示している。釣竿を把持している手の前腕や肘にリアグリップ部４１を当接させるようにして釣竿を把持して釣りを行うことができ、例えば、リールを巻きながら魚のアタリをとることができる。その際、釣竿を把持する手の平にリールや竿本体２から振動が伝わると同時に、リアグリップ部４１から前腕にも振動が伝わることになり、手の平と前腕の二箇所で同時にアタリを感じ取ることができる。リアグリップ部４１はコルク等の別体構成ではなくリアグリップ竿体２１による一体構成であるため振動をダイレクトに感じ取ることができ、振動の減衰が小さい状態で高感度に振動をキャッチすることができる。
【００６１】
リアグリップ部４１の特には大径部４５の肉厚がリアグリップ竿体２１の小径部４０の肉厚よりも薄くなっているので、前側からリアグリップ部４１へと伝わってくる振動が減衰しにくい。しかも、前腕が当接している箇所であるリアグリップ部４１の肉厚が薄いので、その振動が前腕へと高感度で伝達されることになる。
【００６２】
また、メイン層５０の肉厚自体を変化させることでリアグリップ竿体２１の小径部４０を厚肉とし大径部４５を薄肉としている構成である。そのメイン層５０はリアグリップ竿体２１の前端部から後端部まで連続的に形成されており、その強化繊維、具体的には縦シート６１の強化繊維も、リアグリップ竿体２１の前端部から後端部まで連続して延びていて、メイン層５０の肉厚は薄くなるものの強化繊維自体は後端部まで連続的に存在しているので、振動が特に軸線方向の強化繊維を介して後端部まで確実に伝達されて、リアグリップ部４１から前腕へと伝わるのである。また、サブ層５１もリアグリップ竿体２１の全長に亘って形成されているので、そのサブ層５１を介して振動が後端部まで伝わることにもなる。
【００６３】
一方、小径部４０の肉厚が厚く、また、その小径部４０におけるメイン層５０が厚く形成されているので、リアグリップ竿体２１全体の強度も十分に確保できる。特に、小径部４０にはリールシート１が装着されるため大きな強度が求められるが、厚肉となっているので、十分に強度が確保される。特に、メイン層５０の肉厚を厚くすることでシート被装着部４２ｂを厚くしているので、別途の層によってシート被装着部４２ｂを部分的に厚肉とした構成に比して強度の前後方向の連続性も確保され、リアグリップ竿体２１全体の強度を容易に確保できる。
【００６４】
また、メイン層５０が複数の分割帯状片５３から構成されているので、一体構成のリアグリップ部４１を有する構成であっても、歪みや皺等が発生しにくく、正確な形状のリアグリップ竿体２１を容易に得ることができて所望の強度を確保できる。また、皺等が発生しにくいので良好な美感も得られる。尚、メイン層５０の外側にサブ層５１が全長に亘って形成されているので、メイン層５０に重ね合わせ部５４が形成されていてもサブ層５１によって覆われて目立ちにくくなる。更に、リアグリップ部４１の前端部と後端部で分割帯状片５３の数が異なるのではなく同数とされていて後端部においては巻き数が少なく前端部においては巻き数が多くなって厚み変化を持たせる構成となっているので、軸線方向の連続性を確保しつつ前端部を厚肉とし後端部を薄肉とすることができる。更に、四つの分割帯状片５３をワンセットとして後端部において９０度ずつずらせた配置態様としているので製造が容易であり、皺等の発生も防止できる。そして、四つの分割帯状片５３をワンセットとした合計八つの分割帯状片５３からメイン層５０が形成されているので、作りやすさを維持しつつ、必要な厚み、強度も確保できる。また更に、第一の一対の分割帯状片５３によりメイン層５０の内側の一周分が構成され、第二の一対の分割帯状片５３によりメイン層５０の外側の一周分が構成されていて、第一の一対の分割帯状片５３と第二の一対の分割帯状片５３とから四つの分割帯状片５３が構成されているので、リアグリップ竿体２１のメイン層５０の形成工程が容易であって、リアグリップ竿体２１の形状も高精度なものとなる。
【００６５】
一方、上述したように、例えば右手で釣竿を把持している場合にはその右手の前腕をリアグリップ部４１に当接させることができる。リアグリップ部４１の拡径部４４には環状角部４４ｃが形成されていてエッジが立ったような形状となっているが、前腕にリアグリップ部４１を当接させた際には、リアグリップ部４１の主として拡径部４４の後側の面部４４ｂ（凸状湾曲面部）と大径部４５が当たることになる。従って、リアグリップ部４１に環状角部４４ｃが形成されていても、前腕への当たりは柔らかく、違和感なくリアグリップ部４１に前腕に当てることができ、リアグリップ部４１の拡径部４４の後側の面部４４ｂや大径部４５から振動をダイレクトに感じ取ることができる。
【００６６】
一方、図１９のように釣竿を把持する手とは反対側の手でリアグリップ部４１を把持することもできる。リアグリップ部４１は、ＥＶＡやコルクからなる別体構成のものではなく、リアグリップ竿体２１に一体的に形成された一体構成のものであるが、リアグリップ部４１に環状角部４４ｃが形成されているので、リアグリップ部４１を把持しても滑りにくい。即ち、環状角部４４ｃは断面視山型であって、その環状角部４４ｃにおいて前側の面部４４ａと後側の面部４４ｂとが折れ曲がったような形状になっているので、環状角部４４ｃの前側に位置する前側の面部４４ａに例えば親指と人差し指を引っ掛けるようにして把持することができる。そして、釣竿を振るような動作をした場合であっても、環状角部４４ｃが形成されているので、リアグリップ部４１を把持する手が滑りにくく、確実にリアグリップ部４１を把持することができる。
【００６７】
特に、キャストの際には有効である。例えば釣竿を右手で把持し、左手でリアグリップ部４１を把持してダブルハンドキャストすることができる。その際、左側の手の親指と人差し指をリアグリップ部４１の前側の面部４４ａに引っ掛けるようにしてリアグリップ部４１を把持することができる。そのため軽い力でリアグリップ部４１を把持することができ、軽い力で把持していても環状角部４４ｃが形成されているので左手がリアグリップ部４１から抜けることがなく、従って、楽にキャストできて飛距離を伸ばすことができる。特に、拡径部４４における前端部と後端部の内径差の半分以上が前側の面部４４ａにより形成されているので、指の引っ掛かり特性に優れていて、より一層の滑り止め効果を発揮する。
【００６８】
しかも、リアグリップ部４１が別体構成ではなく一体構成であるので、キャスト時のダイレクト感に優れていて、キャスト時に例えば釣竿を後方に振りかぶった際に釣り糸や穂先等が障害物や地面等に触れたりしたような場合であっても、その際の振動がリアグリップ部４１から手に違和感となってダイレクトに伝わり、その状態を瞬時にキャッチしてキャストを中断することができる。また、キャスト直後のフォール中のアタリや、錘が底に付いた時の振動も、右手のみならず左手からも感じ取ることができる。そのような場合にも、リアグリップ部４１が一体構成であるので、左手からダイレクトに振動を高感度に感じ取ることができる。
【００６９】
また、前側の面部４４ａが凹状湾曲面部であるので、前側の面部４４ａが一定の傾斜角度（勾配）で傾斜した断面視直線状の傾斜面部である場合に比して、指の引っ掛かりが良く、より一層滑りにくい。一方、後側の面部４４ｂは凸状湾曲面部であるので、前腕にリアグリップ部４１を当てた際の感触に優れており、前腕にリアグリップ部４１がフィットしやすく、長時間の釣りにも適している。
【００７０】
尚、メイン竿体２０は中空状でなくてもよく、全体を中実状としたり、あるいは竿先など部分的に中実状としてもよい。分割帯状片５３は軸線方向に幅一定の長方形状としたが、前後で幅寸法が異なる台形状としてもよく、例えば、前端部よりも後端部の方が幅広となる台形状としてもよく、逆に、前端部よりも後端部の方が幅狭となる台形状としてもよい。また、四枚のメインプリプレグ６０のうち１８０度対向した二枚を先に貼り付けてその後にそれとは直交する残り二枚のメインプリプレグ６０を貼り付けるようにしたが、マンドレル７０を９０度ずつ一定方向に回転させながら周方向に順次一枚ずつメインプリプレグ６０を貼り付けていくようにしてもよい。
【００７１】
また、リールシート１の向きを前後逆向きとしてもよい。即ち、上記実施形態では固定ナット９が前側に位置する使用態様であったが、図２０のように固定ナット９が後側に位置する使用態様であってもよい。このようにリールシート１は固定ナット９が前側に位置する装着態様でも後側に位置する装着態様でも何れであってもよい。固定ナット９が前側に位置する形態では、釣竿を上下に振りながら魚の当たりを取るような釣りに適しており、リールシート１を上から把持すると釣竿を上下に振りやすい。その際、リアグリップ部４１を前腕に当てることで釣竿と前腕とを一体化させて楽に釣りを行うことができる。このような形態は例えばルアーのアジ釣りに適している。一方、固定ナット９が後側に位置する形態では、例えばリールを巻きながら行う釣り、即ち、リトリーブ中心の釣りに適しており、リールシート１を上からではなく横から把持するとリールを巻きやすい。リアグリップ部４１を前腕に当てることで釣竿と前腕とを一体化させて楽にリールを巻くことができる。このような形態は例えばルアーのメバル釣りに適している。尚、スピニングリールではなく両軸リールを装着するリールシート１であってもよい。
【００７２】
尚、拡径部４４における前側の面部４４ａは凹状湾曲面部でなく後側に向かって直線状に傾斜した傾斜平面部であってもよい。同様に、拡径部４４における後側の面部４４ｂも凸状湾曲面部ではなく傾斜平面部であってもよい。尚、前側の面部４４ａは後側の面部４４ｂよりも、後側に向けて拡径する勾配が急であることが好ましい。
【符号の説明】
【００７３】
１    リールシート
２    竿本体
３    リール脚
４    脚主部
４ａ  足首部
５    取付脚部
５ａ  一方の脚先部
５ｂ  他方の脚先部
７    リールシート本体
８    可動フード
８ａ  フード部
９    固定ナット
１１    リール脚支持面
１２    固定フード部
１３    雄ネジ部
１５    凹部
２０    メイン竿体
２１    リアグリップ竿体
２２    スペーサ
２３    スペーサ
２４    フランジ付き口筒体
２５    後側の口筒体
２６    前側の口筒体
２７    尻栓
２８    支持部材
２８ａ  挿入筒部
２８ｂ  環状突条
２８ｃ  プレート支持面
２８ｄ  貫通孔
２９    緩衝部材
３０    意匠プレート
４０    小径部
４１    リアグリップ部
４２    補強部
４２ａ  逆テーパ面部
４２ｂ  シート被装着部
４２ｃ  段差部
４３    非補強部
４４    拡径部
４４ａ  前側の面部
４４ｂ  後側の面部
４４ｃ  環状角部
４５    大径部
５０    メイン層
５１    サブ層
５２    口巻き補強層
５３    分割帯状片
５４    重ね合わせ部
５５    長尺帯状片
６０    メインプリプレグ
６１    縦シート
６２    横シート
６４    口巻き補強プリプレグ
７０    マンドレル
７１    第一の領域
７２    第二の領域
７３    第三の領域
７４    角部形成部
【図１】
2018007582.tif 000003
【図２】
2018007582.tif 000004
【図３】
2018007582.tif 000005
【図４】
2018007582.tif 000006
【図５】
2018007582.tif 000007
【図６】
2018007582.tif 000008
【図７】
2018007582.tif 000009
【図８】
2018007582.tif 000010
【図９】
2018007582.tif 000011
【図１０】
2018007582.tif 000012
【図１１】
2018007582.tif 000013
【図１２】
2018007582.tif 000014
【図１３】
2018007582.tif 000015
【図１４】
2018007582.tif 000016
【図１５】
2018007582.tif 000017
【図１６】
2018007582.tif 000018
【図１７】
2018007582.tif 000019
【図１８】
2018007582.tif 000020
【図１９】
2018007582.tif 000021
【図２０】
2018007582.tif 000022